(57)【要約】【課題】構造簡素にして、底部が面状に広がり易くすることにより、便器等への装着、及び排尿、排便等が容易に行える汚物回収袋を得る。【解決手段】軟質プラスチックシートにより筒状の主体（２ａ）を設け、該主体（２ａ）の左右両側部を互いに接近する方向に中割り折りして該主体（２ａ）の両側に襠片（２ｂ，２ｃ）を形成し、該襠片（２ｂ，２ｃ）の下端部（２ｂ-1，２ｃ-1）と前記主体（２ａ）の下端部（２ａ-1）との重なり部、及び主体（２ａ）の残余の下端部（２ａ-1）の重なり部を一体的に固着して上面のみが開口した側面視方形の収納袋（２）を形成し、該収納袋（２）内に吸水性シート（３）を収容する。【選択図】図１
0003116457.tif 000002
【実用新案登録請求の範囲】
【請求項１】
軟質プラスチックシートにより筒状の主体（２ａ）を設け、該主体（２ａ）の左右両側部を互いに接近する方向に中割り折りして該主体（２ａ）の両側に襠片（２ｂ，２ｃ）を形成し、該襠片（２ｂ，２ｃ）の下端部（２ｂ-1，２ｃ-1）と前記主体（２ａ）の下端部（２ａ-1）との重なり部、及び主体（２ａ）の残余の下端部（２ａ-1）の重なり部を一体的に固着して上面のみが開口した側面視方形の収納袋（２）を形成し、該収納袋（２）内に吸水性シート（３）を収容したことを特徴とする汚物回収袋。
【請求項２】
吸水性シート（３）は、一辺が収納袋（２）の一方側の襠片（２ｂ）を広げた長さに略対応し、他辺が両側の襠片（２ｂ，２ｃ）を折り畳んだ収納袋（２）の左右幅に略対応する方形状としたことを特徴とする請求項１記載の汚物回収袋。
【請求項３】
吸水性シート（３）は、全面に吸水ポリマー及び脱臭剤を有してなることを特徴とする請求項１又は２記載の汚物回収袋。
【考案の詳細な説明】
【技術分野】
【０００１】
本考案は、地震等の災害で使用できなくなった便器、可搬式あるいは携帯式の便器等に装着して排尿、排便等の汚物が容易に回収できるようにした汚物回収袋に関するものである。
【背景技術】
【０００２】
上面が開口したポリエチレン製の収納袋を形成し、該吸水性シートの上部自由端縁を前記収納袋の内面にポイント熱圧着してなる汚物処理袋があった。また、前記汚物処理袋の収納袋の底部両端を斜め方向に熱圧着し、該収納袋の底部の断面積を漏斗状に縮小することにより、収納袋内に収容した汚物の偏りを抑制するようにしたものがあった。
【０００３】
前記従来の汚物処理袋は、可撓性の収納袋内に吸水性シートを設けているため、災害時における簡易トイレ用品、スポーツや工事現場等における緊急トイレ用品として利用できる。しかしながら、前記汚物処理袋の収納袋は、筒状の主体の下端を一字状に閉塞したり、あるいは該閉塞した底部両端を斜め方向に熱圧着したりしていたため、収納袋の底が面状に広がり難く、便器に装着した際に収納袋が該便器の内面に沿って拡開せず、汚物が収納袋内の周面に付着することがあった。
【特許文献１】特開２０００−２４５６５４号公報
【考案の開示】
【考案が解決しようとする課題】
【０００４】
本考案は、構造簡素にして底部が面状に広がり易くすることにより、便器等への装着、及び排尿、排便等が容易に行える新規な汚物回収袋を得ることを目的とする。
【課題を解決するための手段】
【０００５】
本考案は、上記目的を達成するために以下の如く構成したものである。即ち、請求項１に係る考案は、軟質プラスチックシートにより筒状の主体を設け、該主体の左右両側部を互いに接近する方向に中割り折りして該主体の両側に襠片を形成し、該襠片の下端部と前記主体の下端部との重なり部、及び主体の残余の下端部の重なり部を一体的に固着して上面のみが開口した側面視方形の収納袋を形成し、該収納袋内に吸水性シートを収容する構成にしたものである。
請求項２に係る考案は、前記吸水性シートを、一辺が収納袋の一方側の襠片を広げた長さに略対応し、他辺が両側の襠片を折り畳んだ収納袋の左右幅に略対応する方形状としたものである。
請求項３に係る考案は、前記吸水性シートを、全面に吸水ポリマー及び脱臭剤を有する吸水性シートとしたものである。
【考案の効果】
【０００６】
本考案の請求項１に係る考案は、中割り折りした襠片の下端部を主体の下端部に重ねて該主体の下端部に固着したので、襠片を広げると、該襠片の下端部が上方に引き上げられ、これに伴って主体の下端部も上方に引き上げられることになる。このため、収納袋を便器内で拡開させると、該収納袋の底部が面状に広がり、該収納袋は便器の内面に沿って大きく開くことになる。また、収納袋内に収容した吸水性シートが前記収納袋の底部に沿って面状に広がることになる。これにより、排尿、排便等の汚物が収納袋内の底部に向かって円滑に落下・堆積されることになる。
また、請求項２に係る考案は、前記吸水性シートが、前記面状に広がった収納袋の底部の略全面を覆うことになり、排尿、排便等の汚物を効率よく受け止めることになる。
また、請求項３に係る考案は、前記吸水性シートが排尿、排便等の汚物を効率よく吸着するとともに、外部への異臭の発散を防止することになる。
【考案を実施するための最良の形態】
【０００７】
以下本考案の実施例を図面に基づいて説明する。図において、図１は本考案の第１実施例による汚物回収袋の折り畳んだ状態の斜視図、図２は本考案による吸水性シートの折り畳んだ状態の斜視図、図３は本考案の第１実施例による汚物回収袋の拡開した状態の斜視図、図４は本考案による吸水性シートの拡開した状態の一部断面斜視図、図５は便器への汚物回収袋の装着準備状態を示す斜視図、図６は便器への汚物回収袋の第１装着状態を示す斜視図、図７は便器への汚物回収袋の第２装着状態を示す斜視図、図８は本考案の第２実施例による汚物回収袋の折り畳んだ状態の斜視図、図９は本考案の第２実施例による汚物回収袋の拡開した状態の斜視図である。
【０００８】
図１において、１は汚物回収袋であり、軟質プラスチックシート、例えば炭酸カルシウムが混入されたポリエチレン製の収納袋２、及び該収納袋２に収容した吸水性シート３を主要部品としてなる。
【０００９】
前記収納袋２は、直径約６６ｃｍからなるポリエチレンフィルム製のチューブを、長さ約５６ｃｍに切断して筒状の主体２ａを形成し、該主体２ａの左右両側を互いに接近する方向に中割り折りし、該左右両側に一辺の幅Ｗ２が約１５ｃｍとなる襠片２ｂ、２ｃを形成し、該襠片２ｂ，２ｃの下端部２ｂ−１、２ｃ−１と前記主体２ａの下端部２ａ−１との重なり部（ア）、及び主体２ａの残余の下端部の重なり部（イ）を熱圧着して閉塞してなり、これにより、襠片２ｂ、２ｃを折り畳んだときの収納袋２は、幅Ｗ１が約３６ｃｍ、長さＬ１が約５６ｃｍとなる大きさとする。
【００１０】
前記収納袋２内に収容する吸水性シート３は、一辺が約３０ｃｍとなる正方形状とし、図４に示すように、全面に吸水ポリマー及び脱臭剤を点在させて捕捉してなる凝固紙３ａの上下両面を通水性の不織布３ｂにより被覆し、幅方向中心部に折れ線３ｃを形成してなり、該吸水性シート３は、前記折れ線３ｃを中心として谷形に折り曲げて収納袋２内に収容する。
【００１１】
なお、前記吸水性シート３の大きさは、一辺が前記収納袋２の一方側の襠片２ｂ、２ｂを広げた長さ、即ち、約３０ｃｍ、他辺が両側の襠片２ｂ，２ｃを折り畳んだ収納袋２の左右幅Ｗ１、即ち約３６ｃｍとなる長方形状としてもよい。
【００１２】
前記実施例によれば、図３、図５に示すように、収納袋２を広げ、左右の襠片２ｂ，２ｃの屈曲角度を約１８０°に拡開させると、該襠片２ｂ，２ｃの下端部２ｂ−１，２ｃ−１が上方に引き上げられ、これに伴って主体２ａの下端部２ａ−１が上方に引き上げられ、前記収納袋２の底部が長方形状に広がり、これにより内部に収容した吸水性シート３が面状に拡開することになる。
【００１３】
このため、前記広げた収納袋２を便器４内に収容し、その上縁部を、図６に示すように便座５に巻き付ける。又は図７に示すように、前記収納袋２上縁部を便器４の開口上縁４ａに嵌合させ、便座５で抑えると、前記収納袋２は便器４の内面に沿って大きく開き、また、収納袋２内に収容した吸水性シート3が前記収納袋２の底部に沿って面状に広がることになる。
【００１４】
これにより、排尿、排便等の汚物が収納袋２内の底部に向かって円滑に落下・堆積し、これを前記吸水性シート３が効率よく受け止めて吸着するとともに、外部への異臭の発散を防止することになる。なお、本考案による汚物回収袋は、介護用の可搬式の便器、あるいは旅行、非常用として携帯可能にした携帯式の便器にも適用できる。
【００１５】
図８、図９は本発明の第２実施例を示す。このものは、吸水性シート３’を折れ線のない一辺が約３０ｃｍとなる正方形の面状とし、図８に示すように、前記吸水性シート３’を面状にした状態で収納袋２内に収容する。このようにすれば、図９に示すように、前記吸水性シート３’を箱状に広げた収納袋２の底面にセットすると、該吸水性シート３’が収納袋２の底面を長方形状に補形することになり、汚物の回収機能が高くなる。
【図面の簡単な説明】
【００１６】
【図１】本考案の第１実施例による汚物回収袋の折り畳んだ状態の斜視図である。
【図２】本考案による吸水性シートの折り畳んだ状態の斜視図である。
【図３】本考案の第１実施例による汚物回収袋の拡開した状態の斜視図である。
【図４】本考案による吸水性シートの拡開した状態の一部断面斜視図である。
【図５】便器への汚物回収袋の装着準備状態を示す斜視図である。
【図６】便器への汚物回収袋の第１装着状態を示す斜視図である。
【図７】便器への汚物回収袋の第２装着状態を示す斜視図である。
【図８】本考案の第２実施例による汚物回収袋の折り畳んだ状態の斜視図である。
【図９】本考案の第２実施例による汚物回収袋の拡開した状態の斜視図である。
【符号の説明】
【００１７】
１    汚物回収袋
２    収納袋
２ａ  主体
２ａ−１    下端部
２ｂ，２ｃ  襠片
２ｂ−１，２ｃ−１  下端部
３（３’）    吸水性シート
３ａ  凝固紙
３ｂ  不織布
４    便器
４ａ  開口上縁
５    便座
【図１】
0003116457.tif 000003
【図２】
0003116457.tif 000004
【図３】
0003116457.tif 000005
【図４】
0003116457.tif 000006
【図５】
0003116457.tif 000007
【図６】
0003116457.tif 000008
【図７】
0003116457.tif 000009
【図８】
0003116457.tif 000010
【図９】
0003116457.tif 000011